【事件の表示】
　特願２００７−１６１９２０「超音波の方法、および、該方法を実行するための回路」拒絶査定不服審判事件〔平成１９年１１月　１日出願公開、特開２００７−２８３１１９〕について、次のとおり審決する。
【結　論】
　本件審判の請求は、成り立たない。
【理　由】
第１　手続の経緯・本願発明
　本願は、１９９５年１０月１３日（パリ条約による優先権主張外国庁受理１９９４年１１月１日　米国）を国際出願日とする特願平８−５１４２８０号（以下、「原出願」という。）の一部を平成１９年６月１９日に新たな特許出願としたものであって、平成２０年１１月５日付けで拒絶査定がされ、これに対し平成２１年２月９日に拒絶査定不服審判の請求がされたものである。
　そして、本願の請求項１〜２に係る発明は、平成１９年７月１９日付け手続補正書の特許請求の範囲の請求項１〜２に記載された事項により特定されるとおりのものと認められ、その請求項１に係る発明は以下のとおりである。
「　　【請求項１】
　検査ゾーンにおいて、音のエネルギーに対して限られた耐性を有する対象の像を作るため、あるいは該対象の像を作ってドップラー・スペクトルの評価のために、超音波トランスジューサを、該超音波トランスジューサに付属するコンピュータの命令により作動させる超音波トランスジューサの作動方法において、該方法は、
　前記超音波トランスジューサに付属する高周波バースト発生器が、広帯域で音響的に高度に制動され電気的に整合され、かつ個別にまたはグループ毎に制御可能である１または複数のトランスジューサ・エレメントを有する超音波のトランスジューサを電気的に発振させるために、発振周波数ｆ0 の高周波バーストを前記トランスジューサに出力する工程であって、前記発振周波数ｆ0 の高周波バーストは、それによって、前記検査ゾーンにおける超音波コントラスト媒質からの瞬間的な後方散乱信号が前記発振周波数に関して顕著に増加するような閾値以上の振幅を有し、ｆ0 が１MHz から22MHz までの超音波である、
工程と、
　前記トランスジューサが、前記検査ゾーンから超音波信号を受信する工程と、
　前記検査ゾーンから受信した超音波信号の、発振周波数ｆ0 の高調波、低調波、そして、超高調波のうちの少くとも１つを、あるいは発振周波数ｆ0 の高調波、低調波、そして、超高調波のうちの少くとも１つ、および発振周波数ｆ0 を、前記超音波トランスジューサに付属するスペクトルアナライザが抽出する工程と、を含む超音波トランスジューサの作動方法。」（以下、「本願発明」という。）
　
　
第２　引用刊行物記載の発明
　一方、原査定の拒絶の理由に引用され、原出願の優先権主張の日前に頒布された刊行物である特表平４−５０１５１８号公報（以下、「引用例」という。）には、以下の記載がある。
［１ａ］「１．例えば音響強度に対して抵抗力の制限されている物体のドップラースペクトルを選択的に画像表示するための、および／または評価するための超音波方法において、
超音波を照射されるべき検査領域の中にに、入射される超音波によって該検査領域に非線形の振動を発生させる物質を入れるようにし、
さらに音響的に著しく減衰されかつ電気的に整合された広帯域の超音波変換器を、検査領域に超音波を照射するために励振するようにし、
この場合、前記超音波変換器は、個別にあるいは群ごとにまとめられて制御可能な、１つまたは複数個の変換素子を有しており、
さらに前記超音波変換器は、励振周波数のほかに少なくとも該励振周波数（ｆｏ）のα／２倍および／またはα／３倍および／またはα／４倍を含む周波数帯に応動するようにし、この場合、αは整数であり、
さらに前記音響変換器により受信される、検査領域において反射したまたは該検査領域で後方散乱した超音波信号から、励振周波数、および／または該励振周波数のα／２倍、α／３倍、α／４倍のうちの少なくとも１つを評価するようにしたことを特徴とする超音波方法。
…　
４．前記物質が、溶剤、乳剤または懸濁液の形態の超音波コントラスト媒質であるようにした、請求項１または２記載の超音波方法。
５．前記物質が、微小気泡または微小気泡を生成する媒質であるようにした、請求項１または２または４記載の超音波方法。
…　
７．超音波変換器を少なくとも１つの関数発生器により励振するようにし、この場合、該関数発生器は、振幅が可調整の０．３ＭＨｚ〜２２ＭＨｚ、有利には１ＭＨｚ〜１１ＭＨｚの範囲内で励振周波数（ｆｏ）を調節可能な高周波のバーストを、０．５〜２０のサイクルで、有利には１〜５のサイクルで発生させるようにした、請求項１から６のいずれか１項記載の超音波方法。」（第１頁左下欄第２行〜第２頁左上欄第１７行）
［１ｂ］「　したがって本発明の課題は、例えば生物組織のように音響強度に対して抵抗力の制限されている物体のための超音波方法の適用領域を、ドップラースペクトルを選択的に画像表示しかつ評価するために拡張するようにし、さらにその方法を実施するための回路を提供することにある。」
［１ｃ］「　この課題は、超音波を照射されるべき検査領域に、入射される超音波によって該検査領域に非線形の振動を発生させる物質を入れるようにし、さらに音響的に強く減衰されかつ電気的に整合された広帯域の超音波変換器を、検査領域に超音波を照射するために励振するようにし、この場合、前記超音波変換器は、個別にあるいは群ごとにまとめられて制御可能な１つまたは複数個の変換素子を有しており、さらに前記超音波変換器は、励振周波数のほかに少なくとも該励振周波数のα／２倍および／またはα／３倍および／またはα／４倍を含む周波数帯に応動するようにし、この場合、αは整数であり、さらに前記音響変換器により受信された、検査領域で反射または後方散乱した超音波信号から、励振周波数、および／または該励振周波数のα／２，α／３，α／４倍のうちの少なくとも１つを評価するようにしたことによって解決される。
　αが分母の整数倍であれば、これに相応する振動は調波である。αが分母よりも小さければ、この振動は前記文献中で低調波と称せられている。さらにαが分母よりも大きければ、超調波振動のことである。
　非線形性を形成する物質または媒質を、超音波を照射すべき検査領域に投入することにより、意外なことに有害でない僅かな音響強度においてすでに、励振周波数ｆｏに加えて強く周波数のシフトされた強度の大きな散乱信号および／または伝送信号を得ることができる。この散乱信号および／または伝送信号は、とりわけ励振周波数の高調波（２ｆｏ，３ｆｏ....）、低調波（１／２ｆｏ，１／３ｆｏ，３／４ｆｏ）、および調調波（３／２ｆｏ，５／４ｆｏ....）において強い。この方法により低い周波数で超音波を照射することができるので、いっそう深い浸透性を得ることができ、さらに高い周波数の受信信号を評価することができる。
　有利には、従来必要とされていたように、物質または媒質の投与前および投与後に記録された２つまたは複数の状態間の差を形成することなく、投与された物質または媒質の影響を受ける信号成分の選択的な評価、ならびにそれら媒質で満たされた領域の選択的な表示を行なうことができる。また例えば、引き起こされたドップラー効果を人為的要因とは無関係に評価することができる。
　さらに、検査領域に非線形の散乱物体を入れると有利であるが、溶液または懸濁液の形態の超音波コントラスト媒質、さらに例えば微小気泡あるいは微小気泡を発生させる媒質を検査領域に入れることもできる。
　懸濁媒体の乾燥物質の１０の−３乗重量％から３０％の濃度で微小気泡懸濁液を投入すると、良好な結果が得られる。この場合、驚くべきことに本発明による方法および回路では、その下限である重量の１０−３％で十分である。
　さらに有利には、本発明による方法の場合、音響変換器は関数発生器により励振される。この場合、この関数発生器は、振幅を設定調整可能でありかつ０．３ＭＨｚ〜２２ＭＨｚ、有利には１ＭＨｚ−１１ＭＨｚの範囲内で中心周波数（ｆｔ）を設定調整可能なＨＦバーストを、０．５〜２０サイクルで有利には１〜５サイクルで発生させる。その際、音響変換器（送信器）の中心周波数ｆｔよりも小さい周波数を評価すると非常に有利であることが判明した。」（第３頁左下欄第２２行〜第４頁右上欄第５行）
［１ｄ］「　周期的に繰り返される電気的な送信パルス−高周波バースト−は、中央計算器１５により制御される関数発生器１により発生される。この場合、前記送信パルスの周波数は、動作範囲ｆｏｍｉｎ....ｆｏｍａｘ（ｆｏｍｉｎ＝０．３ＺＭＨｚ＜ｆｏ＜ｆｏｍａｘ＝２２ＭＨｚ）で可変であり、かつその帯域幅は各バーストごとの正弦波周期の個数ｎ−この場合０．５＜ｎ＜２０−により定められる可変の値を有する。この中央計算器１５は、測定経過ならびにその評価を制御する。」（第５頁左下欄第１２〜２０行）
［１ｅ］「さらに第６図には、３ｍｌのＨ２Ｏ中１０ｍｇのコントラスト媒質を加えてからの７分間の後方散乱信号が示されている。２ｘｆｏのときに明瞭なピークが認められる。」（第６頁右上欄第２５行〜同頁左下欄第４行）
［１ｆ］「第８図は、濃度の低い超音波コントラスト媒質添加後１５分間の後方散乱信号を示す、この場合、音響ヘッドでは４ＭＨｚ＋２０ｄＢｍの周波数ｆｏで動作している。第８図の上部に示されたスペクトルは、いっそう高い周波数分解能により１／２ｆｏにおける低調波と、３／２ｆｏにおける超調波、ならびに２ｆｏにおける１次調波を示す。」（第６頁左下欄第９〜１５行）
［１ｇ］第８頁のＦｉｇ．６には、３ｍｌのＨ２Ｏ中１０ｍｇのコントラスト媒質を加えてからの７分間の後方散乱信号において、ｆ０と同程度の強度の２×ｆ０のピークが表れているスペクトルが記載されている。
　上記［１ａ］、［１ｃ］、［１ｄ］の記載によれば、引用例には、
「音響強度に対して抵抗力の制限されている物体のドップラースペクトルを選択的に画像表示するための、および／または評価するための超音波方法において、超音波を照射されるべき検査領域の中に、入射される超音波によって該検査領域に非線形の振動を発生させる超音波コントラスト媒質であり微小気泡または微小気泡を生成する物質を入れるようにし、さらに音響的に著しく減衰されかつ電気的に整合された広帯域の超音波変換器を、中央計算器により制御される関数発生器により、検査領域に超音波を照射するために励振するようにし、該関数発生器は、振幅が可調整の１ＭＨｚ〜１１ＭＨｚの範囲内で励振周波数（ｆｏ）を調節可能な高周波のバーストを発生させるようにし、前記超音波変換器は、個別にあるいは群ごとにまとめられて制御可能な、１つまたは複数個の変換素子を有しており、さらに前記超音波変換器は、励振周波数のほかに少なくとも該励振周波数（ｆｏ）のα／２倍および／またはα／３倍および／またはα／４倍を含む周波数帯に応動するようにし、この場合、αは整数であり、αが分母の整数倍であれば、これに相応する振動は調波であり、αが分母よりも小さければ、この振動は低調波と称せられているものであり、さらにαが分母よりも大きければ、超調波振動のことであり、さらに、中央計算器は、前記音響変換器により受信される、検査領域において反射したまたは該検査領域で後方散乱した超音波信号から、励振周波数、および／または該励振周波数のα／２倍、α／３倍、α／４倍のうちの少なくとも１つを評価するようにしたことを特徴とする超音波方法。」の発明（以下、「引用例発明」という。）が記載されていると認められる。
　
　
第３　対比
　本願発明と引用例発明とを対比する。
（ア）引用例発明の「検査領域」は本願発明の「検査ゾーン」に、引用例発明の「音響強度に対して抵抗力の制限されている物体」は本願発明の「音のエネルギーに対して限られた耐性を有する対象」に、引用例発明の「超音波変換器」は本願発明の「超音波トランスジューサ」に、引用例発明の「中央計算器」は本願発明の「コンピュータ」に、引用例発明の「関数発生器」は本願発明の「高周波バースト発生器」に、それぞれ相当する。
（イ）引用例発明の「物体のドップラースペクトルを選択的に画像表示するための、および／または評価するための」方法は、本願発明の「対象の像を作るため、あるいは該対象の像を作ってドップラー・スペクトルの評価のため」の方法に相当する。
　そして、引用例発明の関数発生器は「中央計算器により制御される」ものであり、引用例発明の超音波変換器は「関数発生器により、検査領域に超音波を照射するために励振する」ものであるから、引用例発明の「超音波方法」は、本願発明の「超音波トランスジューサを、該超音波トランスジューサに付属するコンピュータの命令により作動させる超音波トランスジューサの作動方法」に相当するといえる。
（ウ）引用例発明の「超音波変換器」は、「音響的に著しく減衰されかつ電気的に整合された広帯域の超音波変換器」であり、「個別にあるいは群ごとにまとめられて制御可能な、１つまたは複数個の変換素子を有して」いるため、本願発明の「広帯域で音響的に高度に制御され電気的に整合され、かつ個別にまたはグループ毎に制御可能である１または複数のトランスジューサ・エレメントを有する超音波のトランスジューサ」に相当する。
　また、引用例発明の「振幅が可調整の１ＭＨｚ〜１１ＭＨｚの範囲内で励振周波数（ｆｏ）を調節可能な高周波のバースト」により発生する超音波は、本願発明の「ｆ０が１MHzから２２MHzまでの超音波」に包含される。
　そして、引用例発明の「中央計算器により制御される関数発生器により、検査領域に超音波を照射するために励振するようにし、該関数発生器は、振幅が可調整の１ＭＨｚ〜１１ＭＨｚの範囲内で励振周波数（ｆｏ）を調節可能な高周波のバーストを発生させるように」する工程と本願発明の「前記超音波トランスジューサに付属する高周波バースト発生器が、広帯域で音響的に高度に制動され電気的に整合され、かつ個別にまたはグループ毎に制御可能である１または複数のトランスジューサ・エレメントを有する超音波のトランスジューサを電気的に発振させるために、発振周波数ｆ0 の高周波バーストを前記トランスジューサに出力する工程であって、前記発振周波数ｆ0 の高周波バーストは、それによって、前記検査ゾーンにおける超音波コントラスト媒質からの瞬間的な後方散乱信号が前記発振周波数に関して顕著に増加するような閾値以上の振幅を有し、ｆ0 が１MHz から22MHz までの超音波である、工程」とは、「前記超音波トランスジューサに付属する高周波バースト発生器が、広帯域で音響的に高度に制動され電気的に整合され、かつ個別にまたはグループ毎に制御可能である１または複数のトランスジューサ・エレメントを有する超音波のトランスジューサを電気的に発振させるために、発振周波数ｆ0 の高周波バーストを前記トランスジューサに出力する工程であって、前記発振周波数ｆ0 の高周波バーストは、それによって、ｆ0 が１MHz から11MHz までの超音波である、工程」である点で共通する。
（エ）引用例発明の「さらに前記超音波変換器は、励振周波数のほかに少なくとも該励振周波数（ｆｏ）のα／２倍および／またはα／３倍および／またはα／４倍を含む周波数帯に応動する」ことは、「検査領域において反射したまたは該検査領域で後方散乱した超音波信号」に応動するものであるから、本願発明の「前記トランスジューサが、前記検査ゾーンから超音波信号を受信する」ことに相当する。
（オ）引用例発明の「励振周波数（ｆｏ）のα／２倍および／またはα／３倍および／またはα／４倍を含む周波数帯」の波は、「この場合、αは整数であり、αが分母の整数倍であれば、これに相応する振動は調波であり、αが分母よりも小さければ、この振動は低調波と称せられているものであり、さらにαが分母よりも大きければ、超調波振動のことであ」るから、本願発明の「高調波」、「低調波」、そして、「超高調波」に相当する。
　そして、引用例発明の「中央計算器」は「超音波信号から、励振周波数、および／または該励振周波数のα／２倍、α／３倍、α／４倍のうちの少なくとも１つを評価する」ものであるためスペクトルアナライザとしての機能を有しているといえるから、引用例発明の「中央計算器は、前記音響変換器により受信される、検査領域において反射したまたは該検査領域で後方散乱した超音波信号から、励振周波数、および／または該励振周波数のα／２倍、α／３倍、α／４倍のうちの少なくとも１つを評価するようにしたこと」と、本願発明の「前記検査ゾーンから受信した超音波信号の、発振周波数ｆ０の高調波、低調波、そして、超高調波のうちの少くとも１つを、あるいは発振周波数ｆ０の高調波、低調波、そして、超高調波のうちの少くとも１つ、および発振周波数ｆ０を、前記超音波トランスジューサに付属するスペクトルアナライザが前記超音波トランスジューサから抽出する」ことは、「前記検査ゾーンから受信した超音波信号の、発振周波数ｆ０の高調波、低調波、そして、超高調波のうちの少くとも１つを、前記超音波トランスジューサに付属するスペクトルアナライザが前記超音波トランスジューサから抽出する」点で共通する。
　したがって、両者は、
「検査ゾーンにおいて、音のエネルギーに対して限られた耐性を有する対象の像を作るため、あるいは該対象の像を作ってドップラー・スペクトルの評価のために、超音波トランスジューサを、該超音波トランスジューサに付属するコンピュータの命令により作動させる超音波トランスジューサの作動方法において、該方法は、前記超音波トランスジューサに付属する高周波バースト発生器が、広帯域で音響的に高度に制動され電気的に整合され、かつ個別にまたはグループ毎に制御可能である１または複数のトランスジューサ・エレメントを有する超音波のトランスジューサを電気的に発振させるために、発振周波数ｆ0 の高周波バーストを前記トランスジューサに出力する工程であって、前記発振周波数ｆ0 の高周波バーストは、それによって、ｆ0 が１MHz から11MHz までの超音波である、工程と、前記トランスジューサが、前記検査ゾーンから超音波信号を受信する工程と、前記検査ゾーンから受信した超音波信号の、発振周波数ｆ0 の高調波、低調波、そして、超高調波のうちの少くとも１つを、前記超音波トランスジューサに付属するスペクトルアナライザが抽出する工程と、を含む超音波トランスジューサの作動方法。」である点で一致し、以下の点で相違している。
［相違点］超音波の振幅が、本願発明では前記検査ゾーンにおける超音波コントラスト媒質からの瞬間的な後方散乱信号が前記発振周波数に関して顕著に増加するような閾値以上の振幅であるのに対し、引用例発明では振幅が可調整であるもののどの程度の振幅に調整するのかが不明である点。
　
　
第４　当審の判断
　まず、上記相違点について検討すると、超音波診断装置において、照射する超音波の振幅が大きいほど良好な検出結果が得られることは周知である。例えば、特開平６−３０９３３号公報の段落【０００２】には、従来の技術として、深部の病変まで診断できる深達度の高い画像を得るためには、発射する超音波の振幅が大きいこと、および受信感度が高いことが必要であると記載され、段落【００２４】には、音響インピーダンスが特定の条件を満たす超音波探触子により振幅が大きくパルス幅の小さい超音波パルスを放射することができると記載されている。また、特開平４−１９８７８９号公報の第１頁右下欄第１４〜１９行に、従来の技術として、診断距離を可能な限り長く、且つ距離分解能を可能な限り良好にしようとすると、送信パルスの振幅を大きくすることや振動子の広帯域化が必須の条件となっていたことが記載されている。さらに、特開平３−８３１１１号公報の第２頁左上欄第２〜５行には、超音波診断装置の各モードについて常にＳ／Ｎ比を良くするには、電源電圧を高くして電圧振動子に印加するパルスの振幅を大きくすればよいことが記載されており、同欄第５〜８行には超音波エネルギーが生体に対して及ぼす悪影響を考慮して制限を加えることも記載されている。
　そして、引用例発明における振幅がどの程度であるのか不明であるものの、引用例の［１ｇ］には、本願の図１３と同様に、ｆ０と同程度の強度の２×ｆ０が得られることが記載されているから、超音波コントラスト媒質からの瞬間的な後方散乱信号が前記発振周波数に関して顕著に増加するような閾値以上の振幅であるといえる。
　したがって、引用例発明において、良好な検出結果を得るために可調整とされる振幅を大きくし、超音波コントラスト媒質からの瞬間的な後方散乱信号が前記発振周波数に関して顕著に増加するような閾値以上とすることは、当業者が適宜設定しうることである。
　
　次に、効果について検討すると、本願発明が解決しようとする課題は、段落【００１５】に記載されているように「音の強さに対する耐性が限られている対象、特に、生物組織についての超音波の方法の適用の範囲を、そのイメージングおよびドップラースペクトルの評価を選択的に行うことまでに広げること」であるが、引用例発明も［１ｂ］に記載されているように、「例えば生物組織のように音響強度に対して抵抗力の制限されている物体のための超音波方法の適用領域を、ドップラースペクトルを選択的に画像表示しかつ評価するために拡張する」ことを課題とし、これを解決するものである。また、本願発明では、段落【００２２】に記載されるように「驚くべきことに、これらの媒質は、放射される信号の振幅をある閾値より上まで増加させると瞬間的な後方散乱信号のレベルを非常な割合で上昇(superprpportional level boosting)させる。この非常な割合でのレベル上昇は、放射された信号（ｆ０）の周波数だけでなく、特に、１／２ｆ０，３／２ｆ０，２ｆ０，５／２ｆ０，３ｆ０，７．２ｆ０、そして４ｆ０においても観察される。閾値を超える発振(supraliminal excitation)における２ｆ０の後方散乱信号は殆どｆ０の強度に達するので、好適には、この信号は検出される。」という効果を奏するものといえるが、引用例発明も、コントラスト媒質を用いるものであって［１ｅ］および［１ｆ］に記載されるように、後方散乱信号において２×ｆｏのピーク、１／２ｆｏにおける低調波、３／２ｆｏにおける超調波、２ｆｏにおける１次調波がそれぞれ示されるものであり、［１ｇ］には、本願の図１３と同様に、ｆ０と同程度の強度の２×ｆ０が得られることが記載されているから、本願発明と同程度の効果を奏するものである。そして、照射する超音波の振幅が大きいほど得られる信号強度が大きくなることは自明である。
　以上より、本願発明の効果は、引用例に記載された発明および上記周知技術から当業者が予測できる範囲のものであって、格別なものであるとはいえない。
　
　したがって、本願発明は、引用例に記載された発明および上記周知技術に基づいて当業者が容易に発明をすることができたものである。
　
　
第５　付言
　請求人は、平成２１年５月１３日付けの上申書において、補正案を提示しているので、以下において検討する。
　補正案の請求項１に係る発明は、本願発明を以下のとおりに補正したものである。（下線部は補正箇所を示す。）
「　　〔請求項１〕
　検査ゾーンにおいて、音のエネルギーに対して限られた耐性を有する対象の像を作るため、あるいは該対象の像を作ってドップラー・スペクトルの評価のために、超音波トランスジューサを、該超音波トランスジューサに付属するコンピュータの命令により作動させる超音波トランスジューサの作動方法において、該方法は、
　前記超音波トランスジューサに付属する高周波バースト発生器が、広帯域で音響的に高度に制動され電気的に整合され、かつ個別にまたはグループ毎に制御可能である１または複数のトランスジューサ・エレメントを有する超音波のトランスジューサを電気的に発振させるために、発振周波数ｆ0 の高周波バーストを前記トランスジューサに出力する工程であって、前記発振周波数ｆ0 の高周波バーストは、それによって、前記検査ゾーンにおける超音波コントラスト媒質からの瞬間的な後方散乱信号が前記発振周波数に関して顕著に増加するような閾値以上の振幅を有し、
これにより該振幅は前記検査ゾーンにおける超音波コントラスト媒質中の前記微小泡あるいは前記コントラスト媒質中によって発生される前記微小泡の少なくとも１部分を破裂させるに効果的な振幅となり、前記微小泡
　前記トランスジューサが、前記検査ゾーンから超音波信号を受信する工程と、
　前記検査ゾーンから受信した超音波信号の、発振周波数ｆ0 の高調波、低調波、そして、超高調波のうちの少くとも１つを、あるいは発振周波数ｆ0 の高調波、低調波、そして、超高調波のうちの少くとも１つ、および発振周波数ｆ0 を、前記超音波トランスジューサに付属するスペクトルアナライザが抽出する工程と、を含む超音波トランスジューサの作動方法。」（以下、「補正案発明」という。）
　上記補正のうち、「
これにより該振幅は前記検査ゾーンにおける超音波コントラスト媒質中の前記微小泡あるいは前記コントラスト媒質中によって発生される前記微小泡の少なくとも１部分を破裂させるに効果的な振幅となり、
　なお、上記補正のうち、「
前記微小泡
　以上より、補正案発明も、引用例に記載された発明および周知技術に基づいて当業者が容易に発明をすることができたものである。
　
　
第６　むすび
　以上のとおり、本願発明は、引用例に記載された発明および上記周知技術に基づいて当業者が容易に発明をすることができたものであるから、特許法第２９条第２項の規定により特許を受けることができない。
　したがって、その他の請求項に係る発明について言及するまでもなく、本願は拒絶すべきものである。
　よって、結論のとおり審決する。